(57)【要約】【課題】硬貨詰まりの解除性能を向上する。【解決手段】硬貨収納庫を形成する対向する一対の壁部と、前記硬貨収納庫の底部に設けられ、前記硬貨収納庫内の硬貨を搬送する搬送ベルトと、前記硬貨の搬送方向に沿って互いに離隔する位置で前記底部から突出可能に設けられた複数の突出部と、を備える、現金処理装置。【選択図】図５
2020086820.tif 000002
【特許請求の範囲】
【請求項１】
硬貨収納庫を形成する対向する一対の壁部と、
前記硬貨収納庫の底部に設けられ、前記硬貨収納庫内の硬貨を搬送する搬送ベルトと、
前記硬貨の搬送方向に沿って互いに離隔する位置で前記底部から突出可能に設けられた複数の突出部と、
を備える、現金処理装置。
【請求項２】
前記現金処理装置は、
前記一対の壁部を構成する一方の壁部と前記搬送ベルトとの間に設けられた第１の前記複数の突出部と、
前記一対の壁部を構成する他方の壁部と前記搬送ベルトとの間に設けられた第２の前記複数の突出部と、
を有する、請求項１に記載の現金処理装置。
【請求項３】
前記現金処理装置は、前記第１の複数の突出部、および前記第２の複数の突出部による突出動作を制御する制御部をさらに備える、請求項２に記載の現金処理装置。
【請求項４】
前記制御部は、前記第１の複数の突出部および前記第２の複数の突出部を同時に前記底部から突出させる、請求項３に記載の現金処理装置。
【請求項５】
前記制御部は、前記第１の複数の突出部および前記第２の複数の突出部を交互に前記底部から突出させる、請求項３に記載の現金処理装置。
【請求項６】
前記制御部は、
１の前記硬貨の一端が前記一方の壁部側の底部および当該一方の壁部に支持されながら、前記１の硬貨の他端が前記他方の壁部と前記搬送ベルトとの間で前記搬送方向に沿って立位する他の前記硬貨に支持された状態における、前記他端と前記他の硬貨との接点の前記底部からの高さよりも、前記他の硬貨の下端位置が高くなるような突出量に、前記第２の複数の突出部の突出量が設計される、請求項５に記載の現金処理装置。
【請求項７】
前記制御部は、前記第１の複数の突出部および前記第２の複数の突出部を突出させる制御を、突出量を増加させながら繰り返し行う、請求項３〜５のいずれか一項に記載の現金処理装置。
【請求項８】
前記複数の突出部は隣接する突出部の組を含み、当該突出部の組の間隔部分のうちのいずれの位置で硬貨が前記搬送方向に沿って立位していても、前記突出部の組のうちの少なくともいずれかの突出部が突出した際に当該突出部が当該硬貨に接触する、請求項１〜７のいずれか一項に記載の現金処理装置。
【請求項９】
前記現金処理装置は、前記搬送ベルトにより搬送された硬貨を１枚ずつに分離する分離ローラをさらに備え、
前記複数の突出部のうちで前記硬貨の搬送方向における最も下流側に位置する下流側突出部と前記分離ローラの間隔部分のうちのいずれの位置で硬貨が前記搬送方向に沿って立位していても、前記下流側突出部が突出した際に当該下流側突出部が当該硬貨に接触する、請求項１〜８のいずれか一項に記載の現金処理装置。
【請求項１０】
前記現金処理装置は、前記硬貨収納庫の上流側の端部を形成する、前記一対の壁部を繋ぐ上流端壁部をさらに備え、
前記搬送方向に沿って前記上流端壁部に当接しながら硬貨が立位している場合、前記複数の突出部のうちで最も上流側に位置する上流側突出部が突出した際に前記硬貨の重心が前記上流側突出部よりも下流側に位置する、請求項１〜９のいずれか一項に記載の現金処理装置。
【請求項１１】
前記現金処理装置は、
前記複数の突出部、および前記複数の突出部を連結する連結部からなる部材と、
前記部材を前記底部に対して昇降させる駆動部と、
をさらに有する、請求項１〜１０のいずれか一項に記載の現金処理装置。
【請求項１２】
前記現金処理装置は、
前記硬貨の搬送方向に沿って移動しながら前記複数の突出部を順次に前記底部から押し上げる押上げ部をさらに有する、請求項１〜３のいずれか一項に記載の現金処理装置。
【請求項１３】
前記第２の複数の突出部は、前記第１の前記複数の突出部に含まれる突出部の前記搬送方向における間隔に対応する位置に設けられる突出部を含む、請求項２〜１２のいずれか一項に記載の現金処理装置。
【請求項１４】
前記複数の突出部の各々はテーパー形状を有する、請求項１〜１３のいずれか一項に記載の現金処理装置。
【発明の詳細な説明】
【技術分野】
【０００１】
本発明は、現金処理装置に関する。
【背景技術】
【０００２】
スーパーマーケットやコンビニエンスストア等の小売店およびディスカウントショップ等の大型量販店等の精算所には、レジスタまたはＰＯＳ（Ｐｏｉｎｔ  Ｏｆ  Ｓａｌｅｓ）用レジスタ、レジスタまたはＰＯＳ用レジスタに接続される現金処理装置が設置されている。現金処理装置は、硬貨の入出金のための硬貨入出金部、および紙幣の入出金のための紙幣入出金部を有する。
【０００３】
硬貨入出金部は、入金処理において投入された硬貨を金種別に収納する硬貨収納庫を有し、出金処理においては、当該硬貨収納庫に設けられた搬送ベルトにより硬貨が搬送されることにより、硬貨が出金される。当該硬貨収納庫では、硬貨詰まりが起こることがあり、硬貨詰まりが起きると出金処理を円滑に行うことが困難になる。このため、硬貨詰まりを防止するための技術が研究されている。例えば、特許文献１には、搬送ベルトにより搬送されるブロック状の硬貨詰まり防止部材を硬貨収納庫に設ける技術が開示されている。また、特許文献２には、硬貨収納庫の底部の一部に偏心カムを設ける技術が開示されている。
【先行技術文献】
【特許文献】
【０００４】
【特許文献１】特開２００５−１４１５７７号公報
【特許文献２】特開２００５−２５６７３号公報
【発明の概要】
【発明が解決しようとする課題】
【０００５】
しかし、特許文献１に記載の技術では、硬貨詰まり防止部材の位置を操ることが困難であり、硬貨詰まりが発生した場所によっては硬貨詰まりが解除されない。また、硬貨詰まり防止部材が出金口付近に位置する場合、当該硬貨詰まり防止部材が硬貨の出金の妨げとなり得る。また、特許文献２に記載の技術では、偏心カムが設けられていない位置で硬貨詰まりが発生した場合に、硬貨詰まりを解除することが困難である。
【０００６】
そこで、本発明は、上記問題に鑑みてなされたものであり、本発明の目的とするところは、硬貨詰まりの解除性能を向上することが可能な、新規かつ改良された現金処理装置を提供することにある。
【課題を解決するための手段】
【０００７】
上記課題を解決するために、本発明のある観点によれば、硬貨収納庫を形成する対向する一対の壁部と、前記硬貨収納庫の底部に設けられ、前記硬貨収納庫内の硬貨を搬送する搬送ベルトと、前記硬貨の搬送方向に沿って互いに離隔する位置で前記底部から突出可能に設けられた複数の突出部と、を備える、現金処理装置が提供される。
【０００８】
前記現金処理装置は、前記一対の壁部を構成する一方の壁部と前記搬送ベルトとの間に設けられた第１の前記複数の突出部と、前記一対の壁部を構成する他方の壁部と前記搬送ベルトとの間に設けられた第２の前記複数の突出部と、を有してもよい。
【０００９】
前記現金処理装置は、前記第１の複数の突出部、および前記第２の複数の突出部による突出動作を制御する制御部をさらに備えてもよい。
【００１０】
前記制御部は、前記第１の複数の突出部および前記第２の複数の突出部を同時に前記底部から突出させてもよい。
【００１１】
前記制御部は、前記第１の複数の突出部および前記第２の複数の突出部を交互に前記底部から突出させてもよい。
【００１２】
前記制御部は、１の前記硬貨の一端が前記一方の壁部側の底部および当該一方の壁部に支持されながら、前記１の硬貨の他端が前記他方の壁部と前記搬送ベルトとの間で前記搬送方向に沿って立位する他の前記硬貨に支持された状態における、前記他端と前記他の硬貨との接点の前記底部からの高さよりも、前記他の硬貨の下端位置が高くなるような突出量に、前記第２の複数の突出部の突出量が設計されてもよい。
【００１３】
前記制御部は、前記第１の複数の突出部および前記第２の複数の突出部を突出させる制御を、突出量を増加させながら繰り返し行なってもよい。
【００１４】
前記複数の突出部は隣接する突出部の組を含み、当該突出部の組の間隔部分のうちのいずれの位置で硬貨が前記搬送方向に沿って立位していても、前記突出部の組のうちの少なくともいずれかの突出部が突出した際に当該突出部が当該硬貨に接触してもよい。
【００１５】
前記現金処理装置は、前記搬送ベルトにより搬送された硬貨を１枚ずつに分離する分離ローラをさらに備え、前記複数の突出部のうちで前記硬貨の搬送方向における最も下流側に位置する下流側突出部と前記分離ローラの間隔部分のうちのいずれの位置で硬貨が前記搬送方向に沿って立位していても、前記下流側突出部が突出した際に当該下流側突出部が当該硬貨に接触してもよい。
【００１６】
前記現金処理装置は、前記硬貨収納庫の上流側の端部を形成する、前記一対の壁部を繋ぐ上流端壁部をさらに備え、前記搬送方向に沿って前記上流端壁部に当接しながら硬貨が立位している場合、前記複数の突出部のうちで最も上流側に位置する上流側突出部が突出した際に前記硬貨の重心が前記上流側突出部よりも下流側に位置してもよい。
【００１７】
前記現金処理装置は、前記複数の突出部、および前記複数の突出部を連結する連結部からなる部材と、前記部材を前記底部に対して昇降させる駆動部と、をさらに有してもよい。
【００１８】
前記現金処理装置は、前記硬貨の搬送方向に沿って移動しながら前記複数の突出部を順次に前記底部から押し上げる押上げ部をさらに有してもよい。
【００１９】
前記第２の複数の突出部は、前記第１の前記複数の突出部に含まれる突出部の前記搬送方向における間隔に対応する位置に設けられる突出部を含んでもよい。
【００２０】
前記複数の突出部の各々はテーパー形状を有してもよい。
【発明の効果】
【００２１】
以上説明した本発明によれば、硬貨詰まりの解除性能を向上することが可能である。
【図面の簡単な説明】
【００２２】
【図１】本発明の実施形態による現金処理装置１の外観斜視図である。
【図２】本発明の実施形態による現金処理装置１の機能構成例を示すブロック図である。
【図３】上方向から見た硬貨入出金部１００の断面図である。
【図４】第１の実施形態による金種別収納部１６１の上面図である。
【図５】図４に示したＩ−Ｉ線で硬貨収納庫１８１を切断した場合に得られる断面を示す図である。
【図６】突出動作の具体例を示す説明図である。
【図７】硬貨収納庫１８１における硬貨詰まりの具体例を示す説明図である。
【図８】硬貨詰まりが解除される様子を示す説明図である。
【図９】硬貨詰まりが解除される様子を示す説明図である。
【図１０】硬貨詰まりが解除される様子を示す説明図である。
【図１１】硬貨収納庫１８１の側面図である。
【図１２Ａ】複数の突出部２１４のうちで最も下流側に位置する下流側突出部２１４Ｐと分離ローラ１９６との関係を示す説明図である。
【図１２Ｂ】複数の突出部２１４のうちで最も上流側に位置する上流側突出部２１４Ｑと上流端壁部１７２との関係を示す説明図である。
【図１３】変形例による突出部２１４の突出動作を示す説明図である。
【図１４】変形例による突出部２１４の突出動作を示す説明図である。
【図１５】第２の実施形態による硬貨収納庫１８２を搬送方向に沿った線で切断した場合に得られる断面を示す図である。
【図１６】第２の実施形態による突出部２２４の突出動作を示す説明図である。
【図１７】第３の実施形態による金種別収納部１６３の上面図である。
【発明を実施するための形態】
【００２３】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００２５】
＜０．概要＞
まず、本発明の実施形態による現金処理装置の概要について説明する。本発明の実施形態による現金処理装置は、例えば、スーパーマーケットおよびコンビニエンスストアなどの小売店、ディスカウントショップなどの大型量販店などの精算所に設置されたレジスタまたはＰＯＳ（Ｐｏｉｎｔ  Ｏｆ  Ｓａｌｅｓ）用レジスタなどに接続された現金釣銭機である。
【００２６】
（外観構成）
図１は、本発明の実施形態による現金処理装置１の外観斜視図である。図１に示したように、現金処理装置１は、硬貨入出金部１００と、紙幣入出金部２００と、表示部２２１と、操作部２２２とを有する。
【００２７】
硬貨入出金部１００は、現金処理装置１の幅方向（現金処理装置１を前面から見た左右方向）の左側約半分に設けられ、硬貨の入出金を管理する。硬貨入出金部１００は、現金処理装置１の前方に、入金口１３１、出金口１３２およびリジェクト口１３３を有している。入金口１３１には、オペレータにより入金硬貨が投入される。出金口１３２には硬貨が出金され、出金口１３２は出金された硬貨を保持する。リジェクト口１３３にはリジェクト硬貨が排出される。
【００２８】
紙幣入出金部２００は、現金処理装置１の幅方向の右側約半分に設けられ、紙幣の入出金を管理する。紙幣入出金部２００は、現金処理装置１の前方に紙幣の入出金口を有し、当該入出金口を覆うようにシャッタ２０４が設けられる。オペレータは、シャッタ２０４が開かれた状態で、入出金口に入金紙幣を投入する、または入出金口から出金紙幣を抜き取る。
【００２９】
表示部２２１は、例えば、液晶ディスプレイで構成され、メニュー画面などを表示する。また、表示部２２１は、現金処理装置１の状態を示す情報を表示する。表示部２２１は、紙幣入出金部２００の前方上面において操作部２２２の隣に設けられている。
【００３０】
操作部２２２は、キーおよびボタンなどを有しており、オペレータの操作を受け付ける。例えば、オペレータは、操作部２２２を操作することにより、表示部２２１に表示された選択画面にて所望の項目を選択する。操作部２２２は、紙幣入出金部２００の前方上面に配置されている。
【００３１】
なお、上記では現金処理装置１が現金釣銭機である例を説明したが、硬貨出金口を有し、硬貨の出金と受取が行われる入出金装置および自動取引装置にも本発明の実施形態を適用可能である。
【００３２】
（機能構成）
図２は、本発明の実施形態による現金処理装置１の機能構成例を示すブロック図である。図２に示すように、現金処理装置１は、制御部４０、記憶部５０、通信部６０、操作表示部２２０、硬貨入出金部１００および紙幣入出金部２００およびを備える。
【００３３】
制御部４０は、ＣＰＵ（Ｃｅｎｔｒａｌ  Ｐｒｏｃｅｓｓｉｎｇ  Ｕｎｉｔ）などを含み、記憶部５０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部４０は、専用のハードウェアにより構成されていてもよいし、複数のハードウェアの組み合わせにより構成されてもよい。このような制御部４０は、現金処理装置１の動作全般を制御する。
【００３４】
例えば、制御部４０は、硬貨の入金、一部回収および全回収などの処理を実行し得る。入金は、現金処理装置１の硬貨入金口に投入された硬貨を収納し、現金処理装置１に投入された現金と顧客への請求金額との差分に相当する現金を釣銭として出金口１３２に出金する処理である。一部回収は、現金処理装置１から、金種ごとに指定された枚数で硬貨を出金口１３２に出金する処理である。全回収は、現金処理装置１に収納されている全ての硬貨を出金口１３２に出金する処理である。出金口１３２に出金され、出金口１３２に保持された硬貨はオペレータにより取り出される。また、本発明の実施形態による制御部４０は、後述する硬貨収納庫の突出部による突出動作を制御する。
【００３５】
記憶部５０は、制御部４０を動作させるためのプログラムおよびデータを記憶することが可能な記憶装置である。また、記憶部５０は、制御部４０の動作の過程で必要となる各種データを一時的に記憶することもできる。例えば、記憶部５０は、不揮発性の記憶装置であってよい。
【００３６】
通信部６０は、ネットワーク５００を介してホストコンピュータ４００との間で通信を行うための通信インタフェースである。本実施形態においては、通信部６０が有線による通信を行う場合を主に想定するが、通信部６０は、無線による通信を行ってもよい。
【００３７】
操作表示部２２０は、上記した表示部２２１および上記した操作部２２２に相当する。紙幣入出金部２００の構成は図１を参照して説明した通りである。硬貨入出金部１００の構成も図１を参照して説明した通りであるが、本発明の実施形態は硬貨入出金部１００が行う出金処理に特に関するので、以下、硬貨入出金部１００の構成をより詳細に説明する。
【００３８】
（硬貨入出金部の構成）
図３は、上方向から見た硬貨入出金部１００の断面図である。この硬貨入出金部１００において、入金口１３１に投入された硬貨は１枚ずつに分離されて、入金搬送部１５１により搬送路に沿って、鑑別部１５３を経由して選別部１５４に搬送され、金種毎に分別されて金種別収納部１６０（何れかの硬貨収納庫１８０）に収納される。金種別収納部１６０に収納された硬貨は、出金繰出部１５６により出金口１３２に排出される。
【００３９】
入金搬送部１５１は、無端状に形成された２本の搬送ベルト１５１ａ，１５１ｂによって、構成されている。搬送ベルト１５１ａは、入金口１３１に投入された硬貨を搬送路の上流部分の途中まで搬送する搬送手段である。搬送ベルト１５１ｂは、硬貨を搬送路の上流部分の途中から搬送路の下流部分（厳密には、金種別収納部１６０の内部に設けられた該当金種の硬貨収納庫１８０の上）まで搬送する搬送手段である。
【００４０】
鑑別部１５３は、硬貨の種類及び真偽を鑑別する構成要素である。硬貨は、鑑別部１５３を経由して入金搬送部１５１に繰り出される。この鑑別部１５３にて正当であると鑑別された硬貨は、入金搬送部１５１に繰り出される。一方、鑑別部１５３にて不当であると鑑別された硬貨（リジェクト硬貨）は、搬送路上のリジェクトゲート１５７が開口することにより、リジェクト口１３３に搬送する図示せぬ搬送ベルトの上に落下させる。これにより、硬貨入出金部１００は、リジェクト硬貨をリジェクト口１３３に排出することができる。
【００４１】
選別部１５４は、鑑別部１５３で正常に鑑別されて金種別収納部１６０の上に搬送された硬貨を金種別に選別する構成要素である。選別部１５４は、硬貨を金種別に選別して、選別収納ゲート１５８から金種別収納部１６０の内部に設けられた該当金種の硬貨収納庫１８０の中に落下させる。
【００４２】
金種別収納部１６０は、硬貨を金種別に収納する構成要素である。金種別収納部１６０は、硬貨を収納する機能と硬貨を出金する機能とを併せ持つ。この金種別収納部１６０は、内部で複数枚の仕切り板１７０によって複数の硬貨収納庫１８０に仕切られている。
【００４３】
各硬貨収納庫１８０は、それぞれに固有の金種が割り当てられている。硬貨入出金部１００は、各硬貨収納庫１８０に割り当てられた金種の硬貨を各硬貨収納庫１８０の中に収納する。ここでは、硬貨収納庫１８０が、一円硬貨、五円硬貨、十円硬貨、五十円硬貨、百円硬貨、及び五百円硬貨の６種類の金種に合わせて、６個設けられているものとして説明する。
【００４４】
各硬貨収納庫１８０は、装置の前後方向に延在するように、平行に配置されている。したがって、各硬貨収納庫１８０を仕切る壁部である仕切り板１７０も、装置の前後方向に延在するように、平行に配置されている。各硬貨収納庫１８０の底部には、硬貨を出金口１３２の方向（前方向）に搬送する搬送ベルトが１本ずつ設けられている。また、各硬貨収納庫１８０には、搬送ベルトにより搬送された硬貨を１枚ずつに分離する分離ローラ、硬貨収納庫１８０の出口を開閉するピン、出口から出金口１３２の方向に繰り出された硬貨を検知する光学センサ等を備えている。
【００４５】
（課題の整理）
他の現金処理装置では、硬貨収納庫において硬貨詰まりが起こることがあった。硬貨詰まりは、例えば、仕切り板に沿って立位した硬貨に、他の硬貨がもたれ掛かることにより生じる。硬貨詰まりが起きると出金処理を円滑に行うことが困難になるので、硬貨詰まりを防止するための技術が研究されている。そのような技術として、硬貨収納庫の底部の一部に偏心カムを設ける技術が知られている。しかし、当該技術では、偏心カムが設けられていない位置で硬貨詰まりが発生した場合に、硬貨詰まりを解除することが困難である。
【００４６】
本件発明者は、上記事情を一着眼点にして本発明の各実施形態を創作するに至った。本発明の各実施形態によれば、硬貨詰まりの解除性能を向上することが可能である。以下、本発明の各実施形態を順次詳細に説明する。
【００４７】
＜１．第１の実施形態＞
（構成）
図４は、第１の実施形態による金種別収納部１６１の上面図である。図４に示したように、金種別収納部１６１は対向する一対の仕切り板１７０および一対の仕切り板１７０を繋ぐ上流端壁部１７２により形成される複数の硬貨収納庫１８１を有し、各硬貨収納庫１８１は、搬送ベルト１９２および複数の突出部２１４を有する。また、金種別収納部１６１は、複数の硬貨収納庫１８１に亘って位置するカム機構１９４および分離ローラ１９６を有する。
【００４８】
搬送ベルト１９２は、硬貨収納庫１８１の底部に設けられており、搬送ベルト１９２上に位置する硬貨を出金口１３２の方向（以下、搬送方向と称する場合もある。）へ搬送する。カム機構１９４は、複数の硬貨収納庫１８１の幅方向に沿って設けられたロッド、および各硬貨収納庫１８１の底部に設けられロッドが貫通する偏心カムを有する。偏心カムは、ロッドの回転により、各硬貨収納庫１８１の底部からの突出と各硬貨収納庫１８１の底部への埋没を繰り返す。当該偏心カムにより、偏心カム上に位置する硬貨が押し動かされて、硬貨の搬送が円滑化される。分離ローラ１９６は、複数の硬貨収納庫１８１に亘って、各硬貨収納庫１８１の搬送ベルト１９２の上方に設けられたローラである。分離ローラ１９６は、分離ローラ１９６まで搬送された硬貨を１枚ずつ分離し、分離された硬貨を下流側に繰り出す。
【００４９】
複数の突出部２１４は、図４に示したように、硬貨の搬送方向に沿って互いに離隔する位置に設けられている。図５を参照し、突出部２１４の構成をより具体的に説明する。
【００５０】
図５は、図４に示したＩ−Ｉ線で硬貨収納庫１８１を切断した場合に得られる断面を示す図である。図５に示したように、複数の突出部２１４は連結部２１６を介して連結されており、１の突出列部材２１０が構成されている。当該突出列部材２１０が搬送ベルト１９２の幅方向における両側に設けられている。すなわち、各硬貨収納庫１８１は図４に示したように対向する一対の仕切り板１７０により形成されており、一対の仕切り板１７０のうちの一方の仕切り板１７０と搬送ベルト１９２との間に第１の突出列部材２１０が設けられ、一対の仕切り板１７０のうちの他方の仕切り板１７０と搬送ベルト１９２との間に第２の突出列部材２１０が設けられている。
【００５１】
金種別収納部１６１には、上述した突出列部材２１０を駆動するための図示しない駆動部（例えば、モータ）を有し、突出列部材２１０は、図６に示したように、当該駆動部により上方へ押し上げられる。これにより、突出列部材２１０が有する複数の突出部２１４が硬貨収納庫１８１の底部から突出する。硬貨収納庫１８１に硬貨詰まりが生じていた場合、このような複数の突出部２１４の突出動作により、硬貨詰まりが解消され得る。以下、図７〜図９を参照して具体例を説明する。
【００５２】
図７は、図４に示したＩＩ−ＩＩ線で硬貨収納庫１８１を切断した場合に得られる断面を示す図であり、硬貨収納庫１８１における硬貨詰まりの具体例を示す説明図である。硬貨詰まりは、搬送ベルト１９２に載らない範囲で搬送方向に沿って立位した１または２以上の硬貨と、当該硬貨にもたれ掛った硬貨により発生する。図７に示した例では、搬送ベルト１９２に載らない範囲で搬送方向に沿って立位した１または２以上の硬貨が硬貨Ｃ１およびＣ２であり、もたれ掛った硬貨が硬貨Ｃ３である。硬貨Ｃ３の一端は硬貨収納庫１８１の底部１９０および仕切り板１７０に支持されており、硬貨Ｃ３の他端は硬貨Ｃ２に支持されている。なお、図７では、突出部２１４の先端が硬貨収納庫１８１の底部１９０と面一になるスタンバイ位置で突出部２１４が停止している。また、突出部２１４は、図７に示したように搬送ベルト１９２側が斜面となるテーパー形状を有する。
【００５３】
（動作）
制御部４０は、出金処理において所定の枚数の硬貨が繰り出されない場合、搬送ベルト１９２を搬送方向および逆方向に複数回動作させる。当該動作でも所定の枚数の硬貨が繰り出されない場合に、制御部４０は、搬送ベルト１９２の両側に位置する突出列部材２１０を押し上げ、突出部２１４を硬貨収納庫１８１の底部１９０から突出させる。
【００５４】
図８は、突出部２１４の突出動作を示す説明図である。図８に示したように、搬送ベルト１９２の両側に位置する突出列部材２１０の突出部２１４が同時に硬貨収納庫１８１の底部１９０から突出し、硬貨Ｃ１〜Ｃ３も突出部２１４により押し上げられる。その後、突出部２１４がスタンバイ位置に戻ると、図９に示したように硬貨Ｃ１〜Ｃ３のバランスが崩れ、硬貨詰まりが解除され得る。そして、制御部４０は搬送ベルト１９２を搬送方向に動作させる。上記の突出部２１４の突出動作および搬送ベルト１９２の動作が、所定の枚数の硬貨が硬貨収納庫１８１から繰り出されるまで繰り返される。なお、隣接する突出部２１４間の距離Ｄ１は、図１０に示したように、隣接する突出部２１４間で寝ている硬貨Ｃが一方の仕切り板１７０に寄せられている状態において、当該硬貨Ｃが他方の仕切り板１７０側の突出部２１４と平面視において重ならないような距離に設定される。
【００５５】
（詳細な設計例）
本発明の実施形態では、上流端壁部１７２から分離ローラ１９６の間のいずれの位置で生じた硬貨詰まりでも解除し得るように、突出部２１４の配置および突出部２１４の突出量などが設計される。以下、図１１および図１２を参照し、突出部２１４の配置および突出部２１４の突出量などに関する詳細な設計例を説明する。
【００５６】
図１１は、硬貨収納庫１８１の側面図である。隣接する突出部２１４間の距離Ｄ１および突出部２１４の突出量Ｈ２は、隣接する突出部２１４の間隔部分のうちのいずれの位置で硬貨が搬送方向に沿って立位していても、隣接する突出部２１４の少なくともいずれかの突出部２１４が突出した際に当該突出部２１４が硬貨に接触するような値に設計される。図１１に示した例では、隣接する突出部２１４が同時に突出するので、隣接する突出部２１４の間隔部分で搬送方向に沿って立位する硬貨Ｃが隣接する突出部２１４の双方と接触し、隣接する突出部２１４の双方により押し上げられている。このような設計により、搬送方向上での両端の突出部２１４の間のいずれの位置で硬貨が搬送方向に沿って立位していても、当該硬貨を押し上げることが可能である。すなわち、搬送方向上での両端の突出部２１４の間のいずれの位置で硬貨詰まりが生じても、当該硬貨詰まりを解除できる可能性がある。
【００５７】
図１２Ａは、複数の突出部２１４のうちで最も下流側に位置する下流側突出部２１４Ｐと分離ローラ１９６との関係を示す説明図である。下流側突出部２１４Ｐと分離ローラ１９６との距離、および下流側突出部２１４Ｐの突出量は、下流側突出部２１４Ｐと分離ローラ１９６の間隔部分のうちのいずれの位置で硬貨が搬送方向に沿って立位していても、下流側突出部２１４Ｐが突出した際に当該下流側突出部２１４Ｐが当該硬貨に接触するような値に設計される。図１２に示した例では、下流側突出部２１４Ｐと分離ローラ１９６の間隔部分で立位する硬貨Ｃが、下流側突出部２１４Ｐにより押し上げられ、分離ローラ１９６に接触する。このような設計により、下流側突出部２１４Ｐと分離ローラ１９６の間で硬貨詰まりが生じても、当該硬貨詰まりを解除し得る。
【００５８】
図１２Ｂは、複数の突出部２１４のうちで最も上流側に位置する上流側突出部２１４Ｑと上流端壁部１７２との関係を示す説明図である。上流側突出部２１４Ｑと上流端壁部１７２との距離、および上流側突出部２１４Ｑの突出量は、硬貨が上流端壁部１７２に当接しながら搬送方向に沿って立位している場合、上流側突出部２１４Ｑが突出した際に当該硬貨の重心が上流側突出部２１４Ｑよりも下流側に位置するような値に設計される。図１２Ｂに示した例では、硬貨Ｃが上流端壁部１７２に当接しながら搬送方向に沿って立位しており、上流側突出部２１４Ｑが突出した際に硬貨Ｃが上流側突出部２１４Ｑにより押し上げられる。ここで、上流側突出部２１４Ｑの突出方向と上流端壁部１７２の延伸方向が異なることから、上流側突出部２１４Ｑの突出により、上流側突出部２１４Ｑと硬貨Ｃとの位置関係が変化し、硬貨Ｃの重心が上流側突出部２１４Ｑよりも下流側に移動する。結果、硬貨Ｃが上流側突出部２１４Ｑ上でバランスを崩し、下流側に転がり落ちることが期待される。このような設計により、上流端壁部１７２付近で硬貨詰まりが生じても、当該硬貨詰まりを解除し得る。
【００５９】
（作用効果）
以上説明したように、本発明の実施形態によれば、硬貨収納庫１８１におけるいずれの位置で硬貨詰まりが生じた場合でも、当該硬貨詰まりを解除できる可能性がある。すなわち、本発明の実施形態によれば、硬貨詰まりの解除性能を向上することが可能である。
【００６０】
また、本発明の実施形態による突出部２１４は、図７に示したように、搬送ベルト１９２側が斜面となるテーパー形状を有する。当該テーパー形状によれば、突出部２１４により押し上げられた硬貨が当該斜面に沿って搬送ベルト１９２上に滑り落ちやすいので、硬貨詰まりの解除性能をさらに向上することが可能である。なお、突出部２１４は上流側または下流側が斜面となるテーパー形状を有してもよい。当該構成によっても、突出部２１４により押し上げられた硬貨が当該斜面に沿って上流側または下流側に転がり落ちやすくなるので、硬貨詰まりの解除性能を向上することが可能である。
【００６１】
（変形例）
以上、本発明の第１の実施形態を説明した。以下では、本発明の第１の実施形態の幾つかの変形例を説明する。なお、以下に説明する各変形例は、単独で本発明の第１の実施形態に適用されてもよいし、組み合わせで本発明の第１の実施形態に適用されてもよい。また、各変形例は、本発明の第１の実施形態で説明した構成に代えて適用されてもよいし、本発明の第１の実施形態で説明した構成に対して追加的に適用されてもよい。
【００６２】
−第１の変形例
上記では、搬送ベルト１９２の両側の突出列部材２１０が同時に押し上げられる例を説明したが、搬送ベルト１９２の両側の突出列部材２１０は交互に押し上げられてもよい。当該変形例について、図１３および図１４を参照して具体的に説明する。
【００６３】
図１３および図１４は変形例による突出部２１４の突出動作を示す説明図である。制御部４０は、搬送ベルト１９２の両側の突出列部材２１０Ａおよび突出列部材２１０Ｂのうち、図１３に示したように突出列部材２１０Ａの突出部２１４Ａのみを先に突出させ、突出部２１４Ａがスタンバイ位置に戻った後に突出列部材２１０Ｂの突出部２１４Ｂを突出させる。そして、制御部４０は、突出部２１４Ｂもスタンバイ位置に戻った後に搬送ベルト１９２を搬送方向に動作させる。上記の突出部２１４の突出動作および搬送ベルト１９２の動作が、所定の枚数の硬貨が硬貨収納庫１８１から繰り出されるまで繰り返される。
【００６４】
当該変形例によれば、搬送ベルト１９２の両側の突出部２１４Ａおよび突出部２１４Ｂが交互に突出するので、図１３に示した硬貨詰まりを起こしている硬貨Ｃ１〜Ｃ３のうちで、突出部２１４Ａの突出により、突出部２１４Ａ上に位置する硬貨Ｃ１およびＣ２のみが押し上げられ、硬貨Ｃ２と硬貨Ｃ３の接触が外れ、硬貨Ｃ１およびＣ２が転がり落ちる。これにより、図１４に示したように硬貨Ｃが搬送ベルト１９２上に倒れ、硬貨詰まりが解除される。
【００６５】
このような作用効果を得るために、図１３に示した突出部２１４Ａの間に硬貨Ｃがある状態で、当該硬貨Ｃの下端の高さが図７に示した高さＨ１よりも大きくなるように、図１３に示した突起部２１４Ａの突出量Ｈ２を設計する。図７に示した高さＨ１は、搬送ベルト１９２の一側で搬送ベルト１９２に載らない範囲で立位した硬貨Ｃ１およびＣ２に、搬送ベルト１９２の他側の底部１９０および仕切り板１７０に支持されながら硬貨Ｃ３がもたれ掛かった状態における、硬貨Ｃ２と硬貨Ｃ３との接点の底部１９０からの高さである。突出部２１４Ａの間にある硬貨Ｃの下端の高さを高さＨ１よりも大きくすることにより、突出部２１４Ａが突出した際に硬貨Ｃ２と硬貨Ｃ３の接触を外すことが可能となる。同様に、突出部２１４Ｂの突出量も図７に示した高さＨ１よりも大きい値に設計されてもよい。
【００６６】
なお、上記では突出列部材２１０Ａの突出部２１４Ａが先に突出し、その後に突出列部材２１０Ｂの突出部２１４Ｂが突出する例を説明したが、突出列部材２１０Ｂの突出部２１４Ｂが先に突出し、その後に突出列部材２１０Ａの突出部２１４Ａが突出してもよい。
【００６７】
−第２の変形例
第１の実施形態または第１の変形例で説明した、所定の枚数の硬貨が硬貨収納庫１８１から繰り出されるまで繰り返される突出部２１４の突出動作には、同一の突出量が適用されてもよいし、異なる突出量が適用されてもよい。例えば、新たに繰り返される突出部２１４の突出動作では、前回の突出動作での突出量よりも大きい突出量が適用されてもよい。そして、少なくとも最も大きい突出量は、第１の変形例で説明した高さＨ１より大きくてもよい。硬貨収納庫１８１における硬貨の集積状態の急激な変化は硬貨詰まりを悪化させることがあるところ、当該変形例によれば、突出動作ごとに突出量が徐々に大きくなるので、硬貨の集積状態の急激な変化を抑制することが可能であり、結果、硬貨詰まりの解除性能を向上することが可能である。
【００６８】
＜２．第２の実施形態＞
以上、本発明の第１の実施形態を説明した。第１の実施形態では、搬送方向に沿って並べられた複数の突出部２１４が同時に突出するが、本発明の第２の実施形態では、搬送方向に沿って並べられた複数の突出部が順次に突出する。以下、図１５および図１６を参照して第２の実施形態による硬貨収納庫１８２の構成を詳細に説明する。
【００６９】
（構成）
図１５は、第２の実施形態による硬貨収納庫１８２を搬送方向に沿った線で切断した場合に得られる断面を示す図である。図１５に示したように、第２の実施形態による硬貨収納庫１８２は、搬送ベルト１９２、カム機構１９４、分離ローラ１９６および複数の突出部２２４を有する。搬送ベルト１９２、カム機構１９４および分離ローラ１９６は第１の実施形態で説明した通りであるので、ここでの詳細な説明は省略する。
【００７０】
複数の突出部２２４は、硬貨収納庫１８２の底部に、搬送方向に沿って配置されている。第１の実施形態による突出部２１４と異なり、第２の実施形態による突出部２２４は、互いに分離している。各突出部２２４は、図示しない昇降ガイドに沿って、底部に埋没するスタンバイ位置と底部から突出した突出位置との間で往復移動が可能である。なお、第２の実施形態による硬貨収納庫１８２においても、第１の実施形態による硬貨収納庫１８１と同様に、搬送ベルト１９２の両側に複数の突出部２２４が配置される。
【００７１】
また、硬貨収納庫１８２の底部の下側には、図１５に示したように、移動ガイド２４０および押上げ部２４２が設けられている。移動ガイド２４０は、搬送方向に沿って配置されており、押上げ部２４２は、移動ガイド２４０上を往復移動する。移動ガイド２４０および押上げ部２４２は、各硬貨収納庫１８２に設けられてもよいし、複数の硬貨収納庫１８２に亘って設けられてもよい。
【００７２】
（動作）
制御部４０は、出金処理において所定の枚数の硬貨が繰り出されない場合、搬送ベルト１９２を搬送方向および逆方向に複数回動作させる。当該動作でも所定の枚数の硬貨が繰り出されない場合に、突出部２２４の突出動作を制御する。
【００７３】
図１６は、第２の実施形態による突出部２２４の突出動作を示す説明図である。図１６に示したように、押上げ部２４２は、図示しない駆動部から与えられる駆動力に基づき移動ガイド２４０上を移動する。押上げ部２４２が移動ガイド２４０上を移動する際、押上げ部２４２が突出部２２４に当接し、押上げ部２４２が突出部２２４を押し上げることにより、突出部２２４が突出する。そして、押上げ部２４２により押し上げられた突出部２２４を押上げ部２４２が通過すると、当該突出部２２４がスタンバイ位置に戻る。押上げ部２４２が図１６に示したように上流側から下流側に移動する際には、上流側に位置する突出部２２４から順次に突出し、スタンバイ位置に戻る。
【００７４】
（作用効果）
以上説明した第２の実施形態によれば、ある突出部２２４が突出する時に、当該突出部２２４に搬送方向上で隣接する突出部２２４はスタンバイ位置、またはスタンバイ位置と最突出位置との間にある。このため、突出部２２４の突出により硬貨詰まりを起こしている立ち硬貨のバランスを崩す際に、隣接する突出部２２４が邪魔にならないので、立ち硬貨が倒れ易くなる、または転がり易くなる。従って、硬貨詰まりの解除性能を向上することが可能である。
【００７５】
また、第２の実施形態で同時に突出する突出部２２４の数は、第１の実施形態で同時に突出する突出部２１４の数よりも少ないので、第２の実施形態では各タイミングでより低パワーで突出部２２４を突出させることが可能である。
【００７６】
＜３．第３の実施形態＞
以上、本発明の第２の実施形態を説明した。続いて、本発明の第３の実施形態を説明する。本発明の第３の実施形態は、他の実施形態と突出部の配置が異なる。第３の実施形態による突出動作には、第１の実施形態または第２の実施形態で説明した動作を適用可能である。
【００７７】
図１７は、第３の実施形態による金種別収納部１６３の上面図である。図１７に示したように、金種別収納部１６３は複数の硬貨収納庫１８３を有し、各硬貨収納庫１８３は、搬送ベルト１９２、カム機構１９４および分離ローラ１９６および複数の突出部２３４を有する。搬送ベルト１９２、カム機構１９４および分離ローラ１９６は第１の実施形態で説明した通りであるので、ここでの詳細な説明は省略する。
【００７８】
複数の突出部２３４は、搬送ベルト１９２の一側に搬送方向に沿って配置された複数の突出部２３４Ａ、および搬送ベルト１９２の他側に搬送方向に沿って配置された複数の突出部２３４Ｂを含む。複数の突出部２３４Ａは、図１７に示したように、複数の突出部２３４Ｂに含まれる各突出部２３４Ｂの搬送方向における間隔に対応する位置に設けられる突出部２３４Ａを含む。同様に、複数の突出部２３４Ｂは、複数の突出部２３４Ａに含まれる各突出部２３４Ａの搬送方向における間隔に対応する位置に設けられる突出部２３４Ｂを含む。
【００７９】
このような第３の実施形態によっても、硬貨収納庫１８３におけるいずれの位置で硬貨詰まりが生じた場合でも、当該硬貨詰まりを解除し得る。
【００８０】
＜４．むすび＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８１】
例えば、現金処理装置１に内蔵されるＣＰＵ、ＲＯＭおよびＲＡＭなどのハードウェアに、上述した現金処理装置１の各構成と同等の機能を発揮させるためのコンピュータプログラムも作成可能である。また、該コンピュータプログラムを記憶させた記憶媒体も提供される。
【００８２】
また、上記では出金処理において所定の枚数の硬貨が繰り出されない場合に突出部２１４などの突出動作が行われる例を説明したが、突出部２１４などの突出動作が行われる場面は出金処理に限定されない。例えば、入金処理において選別収納ゲート１５８付近で硬貨詰まりが発生し、硬貨収納庫１８０内の硬貨枚数が容量枚数に達していないにも関わらずフル検知センサが反応した場合にも、現金処理装置１は、突出部２１４などの突出動作を行ってもよい。
【符号の説明】
【００８３】
１  現金処理装置
４０  制御部
５０  記憶部
６０  通信部
１００  硬貨入出金部
１３１  入金口
１３２  出金口
１３３  リジェクト口
１５１  入金搬送部
１５１ａ  搬送ベルト
１５１ｂ  搬送ベルト
１５３  鑑別部
１５４  選別部
１５６  出金繰出部
１５７  リジェクトゲート
１５８  選別収納ゲート
１６０、１６１、１６３  金種別収納部
１７０  仕切り板
１７２  上流端壁部
１８０、１８１、１８２、１８３  硬貨収納庫
１９０  底部
１９２  搬送ベルト
１９４  カム機構
１９６  分離ローラ
２００  紙幣入出金部
２０４  シャッタ
２１０  突出列部材
２１４、２２４、２３４  突出部
２１６  連結部
２４０  移動ガイド
２４２  押上げ部
４００  ホストコンピュータ
５００  ネットワーク
【図１】
2020086820.tif 000003
【図２】
2020086820.tif 000004
【図３】
2020086820.tif 000005
【図４】
2020086820.tif 000006
【図５】
2020086820.tif 000007
【図６】
2020086820.tif 000008
【図７】
2020086820.tif 000009
【図８】
2020086820.tif 000010
【図９】
2020086820.tif 000011
【図１０】
2020086820.tif 000012
【図１１】
2020086820.tif 000013
【図１２Ａ】
2020086820.tif 000014
【図１２Ｂ】
2020086820.tif 000015
【図１３】
2020086820.tif 000016
【図１４】
2020086820.tif 000017
【図１５】
2020086820.tif 000018
【図１６】
2020086820.tif 000019
【図１７】
2020086820.tif 000020